【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
閉じたドアとドア枠との間に装着する訓練装置であって、前記訓練装置が、
第１の部分と、拡大部分と、前記第１の部分と前記拡大部分との間に延びる細長部と、を有するアンカと、
一対の部分とを具え、前記一対の部分の各々は非弾性であり、対応するグリップから端部まで延在する長さを有し、前記端部の各々は前記第１の部分に固定して連結され、
前記アンカが前記閉じたドアに装着されたときに、
前記細長部は、前記閉じたドアの第１の側から前記閉じたドアの第２の側まで延び、
前記拡大部分は、前記閉じたドアを通過不能であり、
前記第１の部分は、前記ドアの第２の側から一定の距離離れて延び、
ユーザが対のグリップのいずれかを引っ張っても、前記グリップと前記第１の部分との間の長さは変わらないことを特徴とする訓練装置。
【請求項２】
請求項１に記載の訓練装置がさらに、前記一対の部分の少なくとも一方の端部を前記第１の部分に着脱式に取り付ける１以上のコネクタを具えることを特徴とする訓練装置。
【請求項３】
請求項２に記載の訓練装置において、前記１以上のコネクタの少なくとも１がループであることを特徴とする訓練装置。
【請求項４】
請求項３に記載の訓練装置において、前記ループが、ゲートリングであることを特徴とする訓練装置。
【請求項５】
請求項３に記載の訓練装置において、前記ループが、スナップリングであることを特徴とする訓練装置。
【請求項６】
請求項２に記載の訓練装置において、前記１以上のコネクタの少なくとも１がフックであることを特徴とする訓練装置。
【請求項７】
請求項１に記載の訓練装置において、前記距離が１インチ（２５ｍｍ）より大きいことを特徴とする訓練装置。
【請求項８】
請求項１に記載の訓練装置において、前記距離が２インチ（５０ｍｍ）より大きいことを特徴とする訓練装置。
【請求項９】
請求項１に記載の訓練装置において、前記距離が４インチ（０．１ｍ）より大きいことを特徴とする訓練装置。
【請求項１０】
請求項１に記載の訓練装置において、前記距離が６インチ（０．１５ｍ）より大きいことを特徴とする訓練装置。
【請求項１１】
請求項１に記載の訓練装置において、前記距離が１インチ（２５ｍｍ）乃至１８インチ（０．５ｍ）であることを特徴とする訓練装置。
【請求項１２】
構造体に装着する調整可能な、非弾性訓練装置であって、前記装置が、
第１のグリップと第１の取付位置との間の第１の長さと、前記第１の長さを調整する第１の機構とを有する第１の細長部材と、
第２のグリップと第２の取付位置との間の第２の長さと、前記第２の長さを調整する第２の機構とを有する第２の細長部材と、
前記第１の取付位置と前記第２の取付位置とに連結される第１の端部と、前記第１の端部とドア枠に取付可能な第２の端部との間の第３の長さとを有する第３の細長部材と、を具え、
前記第３の長さは、１インチ（２５ｍｍ）より大きいことを特徴とする訓練装置。
【請求項１３】
請求項１２に記載の装置であって、前記第１の取付位置と第２の取付位置とが、前記第３の細長部材の第１の端部に縫い付けられていることを特徴とする装置。
【請求項１４】
請求項１２に記載の装置において、前記第３の細長部材の第１の端部がリングを具え、前記第１の細長部材の前記第１の取付位置が、前記第１の細長部材の第１の穴であり、前記第２の細長部材の前記第２の取付位置が、前記第２の細長部材の第２の穴であり、前記リングが、前記第１と第２の穴を通ることを特徴とする装置。
【請求項１５】
請求項１４に記載の装置において、前記リングがゲートリングであることを特徴とする装置。
【請求項１６】
請求項１２に記載の装置において、前記第３の長さが２インチ（５０ｍｍ）より大きいことを特徴とする装置。
【請求項１７】
請求項１２に記載の装置において、前記第３の長さが４インチ（０．１ｍ）より大きいことを特徴とする装置。
【請求項１８】
請求項１２に記載の装置において、前記第３の長さが６インチ（０．１５ｍ）より大きいことを特徴とする装置。
【請求項１９】
請求項１２に記載の装置において、前記第３の長さが１８インチ（０．５ｍ）より小さいことを特徴とする装置。
【請求項２０】
請求項１に記載の装置において、前記対の部分の各部分が、前記１の部分に縫い付けられていることを特徴とする装置。
【請求項２１】
請求項２に記載の装置において、前記１以上のコネクタが２以上のコネクタであり、前記２以上のコネクタが前記対の部分の各端部を前記第１の部分に着脱式に連結していることを特徴とする装置。
【請求項２２】
請求項１に記載の装置において、前記グリップと前記対の部分の各々の端部とが独立して調整可能であることを特徴とする装置。
【請求項２３】
請求項１に記載の装置において、前記アンカと各グリップとの間の長さが調整可能であることを特徴とする装置。
【手続補正２】
【補正対象書類名】明細書
【補正対象項目名】００１６
【補正方法】変更
【補正の内容】
【００１６】
アンカ１１０は、いくらかの移動量のある細長部材１２２の支持体を提供する。特に、アンカ１１０と細長部材１２２の相互作用によって、細長部材をアンカに沿って配置することができ、細長部材のアンカに沿った移動に対して抵抗を与える。この抵抗は、ある状況の下、細長部材の端部にかかる力に多少のミスマッチがあるとしても、支持部材が細長部材１２０をアンカ１１０に沿って移動させないように十分なものであることが好ましい。このように、訓練装置１００は、例えば、細長部材１２０の長さを変化させることによって、様々な訓練に使用することができ、また、訓練しながらユーザに支持体を提供できる訓練装置を提供する。
【手続補正３】
【補正対象書類名】明細書
【補正対象項目名】００２６
【補正方法】変更
【補正の内容】
【００２６】
細長部材４１３は、細長部材より幅の拡大した第１の端部４１１と、アーム４２２ａ、４２２ｂに連結されるアタッチメント４１５の第２の端部とを具える。図６に示すように、細長部材４１３は第１の端部４１１のコアを形成する端部５０２を有する。アンカ４１０の使用目的の一つは、訓練装置４００をドアとドア枠との間に固定することであるから、端部４１１は木製ドアあるいはドア枠へのダメージを防ぐのに十分やわらかく、ユーザの体重を支えるのに十分にしっかりした材料を具えることが好ましい。やわらかくしっかりした一実施例を６に示す。特に、細長部材の端部５０２は、溝付きエンクロージャ５０５と、細長部材の端部とエンクロージャを覆っているピロー５０７に部分的に囲まれている。細長部材の端部５０２は更に、エンクロージャ５０５とピロー５０７に細長部材の端部をのり付けして縫い合わせて、一またはそれ以上のステッチ５０９でピローを閉じることによって、端部４１１内に保持することができる。細長部材４１３は、エンクロージャ５０５のスロット５０４とピロー５０７のスロット５０１を介して第１の端部４１１へ入る。一実施例では、第１の端部４１１は約３．５インチ×２．５インチであり、細長部材４１３にほぼ直交する方向を向いている。別の実施例では、エンクロージャ５０５は、高密度の閉セルフォームであり、ピロー５０７は、フェルトでできており、ステッチ５０３を具える。代替的に、別の材料でできた第２のストラップまたはピースを縫い付け、あるいは糊付け、あるいは、細長部材端部４１３に取り付けて、端部５０２を作るようにしても良い。更なる代替の実施例では、ストラップ端部４１１の硬度を上げるために、エンクロージャ５０５が、金属あるいは硬質プラスチックプレートなどの別の硬質部材を含むものでもよい。
【手続補正４】
【補正対象書類名】明細書
【補正対象項目名】００２７
【補正方法】変更
【補正の内容】
【００２７】
細長部材４２２の詳細を図７、８、９Ａ及び９Ｂに示す。図７は、グリップ対４２３の片方とバックル対４３５のこれに対応する部材の斜視図であり、図８は、グリップ対４２３の片方の８−８線断面図であり、図９Ａはバックル対の片方と連結ストラップ４２９の詳細を示す斜視図である。
【手続補正５】
【補正対象書類名】明細書
【補正対象項目名】００３２
【補正方法】変更
【補正の内容】
【００３２】
自由端対４３１の片方が、図９Ａに詳細に示されている。各端部４３１は、折り曲げて、例えばステッチ９０１によって適所に保持し、操作が容易な端部を形成することが好ましい。細長部材４２２は、スリーブ９０３、９０５ａ、及び９０５ｂで示されているいくつかのスリーブを具え、ストラップ４２９を２回巻いて端部４３１がその周りを移動しないようにしている。特に、スリーブ９０３及び９０５は、バックル４３５、端部４３１及びストラップ４２９の間に配置されている。したがって、スリーブ９０３と９０５は、バックル４３５から対応する端部４３１へのストラップ４２９部分を拘束して、細長部材４２２が動いているときに、対応する端部がその周りを移動しないようにしている。図９Ａに示すように、スリーブ９０３は、近くの端部４３１に固定されているが、スリーブ９０５はストラップ４２９の長さに沿って摺動できる。図９Ｂは、図９Ａの９Ｂ−９Ｂ線に沿った断面図であり、カムバックルとスリーブ９０５ｂへのアタッチメントの詳細を示す。特に、図９Ｂは、バックル４３５と、バーとスリーブ９０５ｂに取り付けられているストラップ９０９が回転するバー９０７を示す。ストラップ９０９は、訓練装置の長さを調整する間に、ストラップ４２９があまり下まで摺動しないようにスリーブ９０５ｂを維持している。スリーブ９０５ｂは、ストラップ４２９の部分と共に、容易に移動して保持できるように弾性であることが好ましい。
【手続補正６】
【補正対象書類名】明細書
【補正対象項目名】００３４
【補正方法】変更
【補正の内容】
【００３４】
各細長部材１０２２は、バックル１０３５ａ、１０３５ｂとして示されるバックル１０３５を具える。バックル１０３５ａに関して詳細に示されるように、バックル１０３５は、中央バー１０３２とタブ１０３６とを有する第１のリング１０３１と第２のリング１０３３とを具える。ストラップ４２７は、双方のリング１０３１と１０３３とに取り付けられ、ストラップ４２９はリング１０３１を通り、バー１０３２を周り、リング１０３１に戻る。バックル１０３５ａは、バックル拘束ストラップ４２９、４２７を示す。タブ１０３６が引っぱられ、リング１０３１と１０３３とを離すとき、バックル１０３５ｂに示すように、細長部材１０２２の長さを変えることができる。各ストラップ４２９はまた、穴１００３ａ、１００３ｂとして示す強化穴１００３を具える。
【手続補正７】
【補正対象書類名】図面
【補正対象項目名】図４
【補正方法】変更
【補正の内容】
【図４】
2010538769.tif 000001